Podtech/llm-jp-corpus-v4-ja_patent huggingface dataset:
(57)【要約】【課題】  雨傘カバー使用時に出し入れし易く、不使用時にはコンパクトに携帯でき、使用後は、乾かし易く衛生的な雨傘カバーを提供する。【解決手段】  カバー本体の側面に、オープンファスナーを取り付け、畳んで留めるための留め具を設けたことを特徴とする雨傘カバー。【選択図】図１
2009247849.tif 000002
【特許請求の範囲】
【請求項１】
カバー本体の側面に、オープンファスナーを縦長に取り付け、上部にボタンと留め紐を利用した留め具を設けたことを特徴とする雨傘カバー。
【発明の詳細な説明】
【技術分野】
【０００１】  本発明は、雨でぬれた傘をバスや電車等に持ち込む際、水滴が足や服に付かないようにするための、出し入れしやすい雨傘カバーに関するものである。
【背景技術】
【０００２】  従来の雨傘カバーは、袋状か筒状であるが、いずれも側面を縫い合わせてある発明が知られている。
また、使用後の濡れたカバーは、コンパクトに畳めるものが知られている。
【特許文献１】登録実用新案第３０９０１６６号
【発明の開示】
【発明が解決しようとする課題】
【０００３】  そのために、次のような問題点があった。
（イ）傘をカバーから出し入れする際、袋の入れ口まで傘の先端を運ばなくてはならず、      腕を大きく横に伸ばしたり、高く揚げたりしてスペースを取っていた。
（ロ）使用後はコンパクトに畳めるが、形が固定しておらず、バッグの中で広がってしま      ってまわりに水滴が付いたりした。
（ハ）使用後の手入れは、そのまま干してもなかなか中まで乾かず、いちいち裏返しにし      て干すのでは手間がかかる。
本発明は、以上の問題点を解決しようとするものである。
【課題を解決するための手段】
【０００４】  カバー本体の側面にオープンファスナーを縦長に取り付ける。また、オープンファスナーの上部に、留めるためのボタンと留め紐を付ける。以上を特徴とする雨傘カバーである。
【発明の効果】
【０００５】  混雑している狭いスペースのバス等の中でも、ファスナーを３分の２ほど開ければ楽に傘を出し入れ出来、人に腕をぶつけることなく、水滴が付くこともなく、迷惑をかけなくて済む。
また、畳んだカバーは、ボタンを留め紐で留めることでコンパクトに固定でき、傘の柄に巻けば持ち運びも便利であるし、そのままバッグやポケットにしまうこともできる。
また、使用後の手入れは、ファスナーを全開にして干せばすぐに乾き、カビなど生えることなく、いつまでも清潔さを保て衛生的である。
【発明を実施するための最良の形態】
【０００６】  以下、本発明の実施の形態について説明する。
（イ）図１に示すように、防水性が高く、しわになりにくい素材のカバー本体（１）の側      面の、ボタン（３）の下から先端までを、防水性の高いオープンファスナー（２）      を取り付ける。
（ロ）図３に示すように、オープンファスナー（２）の上部の片側に、ボタン（３）を付      け、留め紐（４）をボタン（３）の位置から付ける。留め紐（４）の先端にボタン      穴（５）をあける。尚、留め紐（４）はゴム紐でもよい。
本発明は以上の構成になっている。
これを使用するときは、図３のようにオープンファスナー（２）を全体の３分の２程開けて傘を収納して全部を閉め、留め紐（４）でカバー本体（１）を巻いてボタン（３）に留める。取り出す時は留め紐（４）をはずし、ファスナー（２）を３分の２程開ければ楽に取り出せる。
再び傘を使用する際は、図４のようにカバー本体（１）を畳み、留め紐（４）で巻いてボタン（３）に留めればコンパクトに固定できる。また、固定したカバー図４（ｄ）の留め紐（４）を図５のように傘の柄に巻くこともできる。
【図面の簡単な説明】
【０００７】
【図１】本発明の使用状態を示す斜視図
【図２】本発明の全開図
【図３】本発明の出し入れ時の上部斜視図
【図４】本発明の折り畳み状態を示す図
【図５】本発明を畳んで傘の柄に紐で巻いて留めた図
【符号の説明】
【０００８】    １  カバー本体
２  オープンファスナー
３  ボタン
４  留め紐
５  ボタン穴
【図１】
2009247849.tif 000003
【図２】
2009247849.tif 000004
【図３】
2009247849.tif 000005
【図４】
2009247849.tif 000006
【図５】
2009247849.tif 000007
(57)【要約】【課題】旅行中にバックの開口部のファスナーを開けられて、パスポート・カード・現金などの貴重品を盗まれることを防ぐ盗難防止具を提供する。【解決手段】  ひも（３）の一端の先端に小ナスカン（１）とリング（２）を係止し、他の一端にナスカン（４）を設ける。これを使用する時は、小ナスカン（１）をバック開口部のファスナーの穴（６）に係止し、ひも（３）をバック吊り部（５）にまわして、ひも（３）の他の一端にあるナスカン（４）をリングに係止して使用することを特徴とする。【選択図】図２
2009247872.tif 000002
【特許請求の範囲】
【請求項１】
ひも（３）の一端に小ナスカン（１）とリング（２）を連結し、他の一端にナスカン（４）を設けたことを特徴としたスリ盗難防止具。
【発明の詳細な説明】
【技術分野】
【０００１】本発明はハンドバック類のファスナー開口部が容易に開かない様に係止し、スリなどの盗難の防止具に関するものである。
【背景技術】
【０００２】従来、バック、トランクなどカバンごと持ち去る盗難をすばやく確実に報知する盗難防止具はあった。（特許文献１参照）
【特許文献１】（特許公開平８−３３５２９５）
【発明の開示】
【発明が解決しようとする課題】
【０００３】そのため次の様な問題点があった。
従来バックの開口部を開かない様にする為には鍵をかける方法しかなかった。
バック内のパスポート・カード・現金などを使い旅行中買い物をする度に鍵をかけるのは非常に面倒であった。
鍵をかけていないバックのファスナーはスリには簡単に開けられ、パスポート・カード・現金など盗られる被害にあっていた。
本発明は、これらの問題点を解決するためになされたものである。
【問題を解決するための手段】
【０００４】ひも（３）の一端に小ナスカン（１）とリング（２）を連結し、他の一端になすかん（４）を設ける。以上を特徴とする盗難防止具である。
【発明の効果】
【０００５】小ナスカン（１）をバックファスナー先端の穴（６）に係止し、ひも（３）をバックの吊り部（５）にまわして、ナスカン（４）をリング（２）に係止するだけで鍵をかけた状態となり、バック開口部は開かないため、スリの被害にあうことがない。
【発明を実施する為の最良の形態】
【０００６】以下本発明の実施の形態について説明する。
ひも（３）の一端の先端に小ナスカン（１）とリング（２）を係止し、他の一端にナスカン（４）を設ける。（図１）
本発明は以上のような構成である。
これを使用するときは、小ナスカン（１）をバック開口部のファスナーの穴（６）に係止し、ひも（３）をバック吊り部（５）にまわしてひも（３）の他の一端にあるナスカン（４）をリング（２）に係止する。
更に改良品としては小ナスカン（１）を用いずバックのファスナー先端部の穴（６）にリング（２）を取り付け、リング（２）にひも（３）を連結し、ひも（３）の一端にナスカン（４）を設けることによって常時盗難防止具が付いているバックを提供することが出来る。
【図面の簡単な説明】
【０００７】
【図１】本発明の平面図である。
【図２】本発明の拡大使用図である。
【図３】本発明の実施図である。
【図４】本発明の改良品の実施図である。
【符号の簡単の説明】
【０００８】（１）小ナスカン
（２）リング
（３）ひも（又はチェーン）
（４）ナスカン
（５）バックの吊り部
（６）ファスナー先端の穴
【図１】
2009247872.tif 000003
【図２】
2009247872.tif 000004
【図３】
2009247872.tif 000005
【図４】
2009247872.tif 000006
(57)【要約】【課題】頭髪のブラッシングなどで、痛んだり、抜け毛などを少しでも解消するために、ブラシの柄の部分に引く力がかかるとブラシの柄が回転するブラシの柄を提供する。【解決手段】ブラシの毛の取り付け部１が回転しようとすると、回転調節機受け５とオーリング取り付け部６で回転を調節する。また、回転調節ネジ４でブラシの毛の取り付け部１の回転の力を調節できるようにする。【選択図】図１
2009247878.tif 000002
【特許請求の範囲】
【請求項１】
ブラシの柄が回転する。
【請求項２】
ブラシの柄の回転する力を調節できる。
【請求項３】
オーリング等のゴム製品を使い回転する力の変化を調節できる。
【発明の詳細な説明】
【技術分野】
【０００１】本発明は、頭髪がクシ通りの悪い時など整えにくいことを解決するために、痛んだりした部分をブラシの柄の部分が回転しながら頭髪や頭皮などに負担を少なくして整えるようにしたものである。
【背景技術】
【０００２】従来は、痛んだり、絡んだりした頭髪などをブラシの柄の部分が回転しながら整えるブラシはなかった。
【発明の開示】
【発明が解決しようとする課題】
【０００４】絡んだり、痛んだりした頭髪をむりにクシやブラシ等で整えようとして、抜け毛や薄毛等になることが多い。本発明は、この課題を少しでも解消するためになされたものである。
【課題を解決するための手段】
【０００５】ブラシの毛の取り付け部１にロット棒７を差し込んで固定し、回転調節ネジ４をリング８で固定する。そして回転調節機受け５を差し込み、回転調節機オーリング取り付け部６に、オーリング７を取り付けて固定する。回り止め４をブラシの握り部１０に固定して回転調節機受け５を回転しないように固定する。これをブラシの握り部１０に差し込み固定ピン３をつかって固定して１，４、６、９が回転するように固定する。回転調節ネジ４を締めたり戻したりすることで回転調節機受け５が上下に動き、ブラシの毛の取り付け部１の回転を変化させる。このようにすることで様々な状態の頭髪などに対応ができるようにした。
【発明の効果】
【０００６】頭髪や頭皮が痛んだりしているときでも、整髪したいときにブラシの毛を付けた１が回転をすることにより、痛んだりした部分を無理に整えず、数回に分けてブラッシングすることで頭髪や頭皮のダメージを極力少なくできる。
以下、本発明の実施の形態について説明する。
（イ）ブラシの毛の取り付け部１にロット棒８を差し込んで固定し、回転調節ネジ４を差し込んでから動き止めワッシャー９で止める。次に回転調節機受け５を差込み、オーリング取り付け部６に、オーリング７を取り付けて固定する。
これをブラシの握り部１０に差し込み、回り止め４で回転調節機受け５を回転しないように固定し、固定ピン３を使い１、４、６、９が回転するように固定する。
（ロ）回転調節ネジを締めたり緩めたりすることにより、回転調節機受け５が上下に動き、ブラシの毛の取り付け部１の回転を変化させる。
（ハ）個人の好みや頭髪などの状態に合わせてブラシの毛の取り付け部１の回転の力を調節することができる。
【実例１】
【０００７】今までのブラシ等は、ブラシの毛が固定されていて、毛の部分のみでブラッシングをしていました。本発明はブラシの握り部１０の中にブラシの取り付け部１が回転しようと力がかかると回転調節機受け５とオーリング取り付け部６により付加をかけながら回転するようにした。また、回転調節ネジ４で回転調節機受け５をスライドさせて回転の力を調節できるようにした。
【図面の簡単な説明】
【０００８】
【図１】本発明の断面図である。
【図２】本発明の上面図である。
【図３】本発明の部品の一覧図である。
【符号の説明】
【０００９】  １  ブラシの毛の取り付け部
２  固定ピン
３  回り止め
４  回転調節ネジ
５  回転調節機受け
６  オーリング取り付け部
７  オーリング
８  ロット棒
９  動き止めワッシャー
１０  ブラシの握り部
【図１】
2009247878.tif 000003
【図２】
2009247878.tif 000004
【図３】
2009247878.tif 000005
(57)【要約】      （修正有）【課題】靴を履こうとするとき、立ったままの状態で靴ベラを靴に差し込み杖の代わりをしながら足を、滑らかなクランク形状に沿わして挿入する。同時に靴ベラを引き抜くとスラックスの裾が、なまこ形の滑らかな凸部との摩擦によってスーと上がり靴と足に挟まれない、裾上げ付きロング靴ベラを得ることができる。【解決手段】靴ベラ１の下部に、滑らかなクランク形状２を成型し、その中上部になまこ形の滑らかな凸部３を成型、そこに重ねて弾粘性シート４を貼り付けて裾上げとした。また、なまこ形の滑らかな凸部３をスポンジ又はゴムにて形成し、そこに重ねて弾粘性シート４を貼り付け、裏面には接着剤を塗布してアタッチメントを設けた。また、弾粘性シート不要な天狗鼻の平らな装置７を設け裾上げとした。【選択図】図１
2009247856.tif 000002
【特許請求の範囲】
【請求項１】
細長い板の下部にヘラを設け、その任意上部にクランク形状を成型し、そのクランク形状中上に、なまこ形の滑らかな凸部を成型し、そこに弾粘性シートを貼り付け、上部先端を任意形状の握り手部を設けたことを特徴とする裾上げ付きロング靴ベラである。
【請求項２】
スポンジ又はゴムによって形成する、なまこ形の滑らかな凸部を成す単品に、弾粘性シートを貼り付け、裏面に接着剤を施したアタッチメントとしたところを特徴とする。
【請求項３】
ヘラ部、クランク形状は前記の通りであるが、裾上げ部については天狗鼻の平たい凸部で、裾を引っかけて裾上げとしたところが特徴である。
【発明の詳細な説明】
【発明の詳細な説明】
【技術分野】
【０００１】  この発明は、容易に靴が履けると同時に裾が捲れるようにした、靴ベラに関するものである。【０００２】  従来、靴ベラは色々あったが、裾が靴に挟まったりするもの、裾を捲り上げるものもあるが何れも捲り上げてから靴ベラを靴に差し込むものであった。従って、この種のように靴ベラを差し込んでそのまま履け、スラックスの裾が時間差無く上がってくるものはなかった。
【背景技術】
【０００３】  従来の靴ベラは、スラックスの裾を捲り上げてから靴ベラを差し込んで靴を履いていたため、時間差がありその間に振らついたり、よろけたりして危険であった。
公開番号  ：特許公開２００４−４９８３５【０００４】  従来の靴ベラは、滑らかなクランク形状（２）がなく、なまこ形の滑らかな凸部（３）も無いため、スラックスとの密着性が無いため、滑り止めゴムは付いているものの、裾上げ効果が期待出来なかった。
公開番号  ：特許公開２００２−２９１６０４【０００５】  また、従来の靴ベラには、裾上げ装置のアタッチメントが無く、不便を体験しながら辛抱して使っていた。【０００６】  また、従来の靴ベラは、裾上げ装置に弾粘性物を採用したもの、全く裾上げ装置の無いものであったが、裾上げ効率が満足する値ではなかった。
【発明が解決しようとする課題】
【０００７】  本発明は、上記前者の欠点を取り除くために、靴ベラの下部を滑らかなクランク形状（２）を設けて安全で足が抵抗無く靴に入るよう研究を重ねた。
【０００８】  また、上記後者の欠点を取り除くために、靴ベラを抜くと同時に裾が捲り上がるように、なまこ形の滑らかな凸部（３）を設けることに研究を費やし、何回も何回も実験し今回に至った。
【０００９】  また、従来の如何なる靴ベラにも、裾上げ付き靴ベラとして使ってもらいたかった為、研究を重ねた結果アタッチメントを設けることに至った。
【００１０】  また、天狗鼻の平たい凸部（７）を設け、スラックスの裾を確実に引っかかって裾上げが出来、履いた後スムーズ外れる様研究を重ねた。
【課題を解決するための手段】
【００１１】  本発明は、上記の課題を解決するために下記のような手段を発見した。
足に沿うて履けるよう、靴ベラの下部を滑らかなクランク形状（２）を設けて自然に足に沿えるようした。
【００１２】  下部クランク形状（２）の中上部に、なまこ形の滑らかな凸部（３）を設け、その上に重ねるように弾粘性シート（４）を貼り付けて、靴ベラを抜くときスラックスの裾が容易に靴から出せるようにした。
【００１３】  また、全ての靴ベラにも裾上げ装置が設けられるよう、なまこ形の滑らかな凸部を有した、アタッチメントを接着させ、裾上げ付き靴ベラとして使用出来るようにした。
【００１４】  また、下部クランク形状（２）の中上部に、天狗鼻の平たい凸部（７）を裾引っかけ装置として設け、弾粘性シートが無くても確実に裾上げが出来るようにした。
【発明の実施形態】
【００１５】  本発明で使用される靴ベラは、靴を履こうとするとき靴ベラを靴底迄挿入して、片足を靴ベラで支えながら滑らかなクランク形状（２）に沿わして足を挿入する。
【００１６】  履けた状態で靴ベラを引き抜くと、なまこ形の滑らかな凸部（３）の弾粘性シート（４）がスラックスと摩擦をおこし裾が靴から出せる仕組みである。
【００１７】  また、全ての靴ベラになまこ形の滑らかなアタッチメントを別に設けて、裾上げ付き靴ベラ同様使えるようにした。
【００１８】  また、天狗鼻の平らな凸部（７）を成型、又は取り付けて靴に差し込み、靴ベラを引き抜くとき裾が引っかかり上がってくる仕組みである。
このように老若全てが安心して使用できる裾上げ付きロング靴ベラである。
【実施例】
【００１９】  靴ベラ本体の下部を滑らかなクランク形状（２）に成型し、その中上部になまこ形の滑らかな凸部（３）を成型し、それに重ねるように弾粘性シート（４）を貼り付けた。【００２０】  木製靴ベラの場合は、本体下部になまこ形の滑らかな凸部（３）を形成するためのスポンジ、又はゴム（５）を付着し、その上に弾粘性シート（４）を重ねるように貼り付け、その裏面に接着剤（６）を塗布し接着した。【００２１】  また、多種の靴ベラに利用出来るように、なまこ形の滑らかな凸部（３）を形成するためのスポンジ、又はゴム（５）の上に弾粘性シート（４）を貼り付け、裏面には接着剤（６）を塗布してアタッチメントとした。
このように、如何なる靴ベラにも利用できる裾上げ付きロング靴ベラである。【００２２】  また、靴べら下部にクランク形状（２）を成型し、その中上部に天狗鼻の平らな凸部（７）を成型して、裾を引っかける装置を設けた。
【発明の効果】
【００２３】  この靴ベラを使うことによって、従来の靴ベラと同じ使い方で履くだけでスーと裾が上がって非常に便利且つ安全で楽な靴ベラである。
【００２４】  また、高価な代価を払わなくても安価で如何なる靴ベラにも利用できるアタッチメントは非常に便利且つ優れものである。
【００２５】  また、天狗鼻の平らな凸部（７）で引っかけるため確実に裾上げが出来、深底の靴を履く時は非常に便利である。
【図面の簡単な説明】
【図１】  イメージ図
【図２】  下部拡大図
【図３】  アタッチメント図
【図４】  イメージ図、下部拡大図
【符号の説明】
１        靴ベラ本体
２        滑らかなクランク形状
３        なまこ形の滑らかな凸部
４        弾粘性シート
５        スポンジ又はゴム
６        接着剤
７        天狗鼻の平らな凸部
【図１】
2009247856.tif 000003
【図２】
2009247856.tif 000004
【図３】
2009247856.tif 000005
【図４】
2009247856.tif 000006
(57)【要約】【課題】ドライヤーを熱源とした携帯用乾燥機を提供する。【解決手段】布材からなる円筒状の筒体の下方を二又に分けて形成し、二又に分けた筒体の先端にインソールを取り付け、上部にドライヤー等の乾燥用具を取り付けたことを特徴とする携帯用乾燥機。【選択図】図１
2009247857.tif 000002
【特許請求の範囲】
【請求項１】
布材からなる円筒状の筒体の下方を二又に分けて形成し、二又に分けた筒体の先端にインソールを取り付け、上部にドライヤー等の乾燥用具を取り付けたことを特徴とする携帯用乾燥機。
【発明の詳細な説明】
【技術分野】
【０００１】    本発明は、ドライヤーを熱源とした携帯用乾燥機に関するものである。
【背景技術】
【０００２】    従来の乾燥機は、熱源を乾燥機自体に組み込んでいる。
【発明の開示】
【発明が解決しようとする課題】
【０００３】    そのために、次のような問題点があった。
（イ）構造上、大きくなってしまい、携帯性に欠いている。
（ロ）構造上、価格が高くなる。
本発明は、これらの問題点を解決するためになされたものである。
【課題を解決するための手段】
【０００４】    布材からなる円筒状の筒体の下方を二又に分けて形成し、二又に分けた筒体の先端にインソールを取り付け、上部にドライヤー等の乾燥用具を取り付けたことを特徴とする携帯用乾燥機である。
【発明の効果】
【０００５】    単純な構造となっているため、軽量かつ携帯に優れ、コスト的にも安価なものとなった。本発明は靴に限らず洋服等に利用できる。
【発明を実施するための最良の形態】
【０００６】    以下、本発明の実施の形態について説明する。
（イ）布材（１）の一端に閉じ具（２）を取り付けドライヤー（３）への接続部とし、ドライヤーの送風口を布材の筒体に差し込む。
（ロ）布材（１）のもう一方の端には、靴の乾燥機能を持たせるため、インソール部（４）をとりつける。
本発明は以上のような構成で、これを使用するときは以下のようになる。
靴乾燥機として使用するときは、インソール（４）を、目的の靴の中敷に触れるように挿入し、ドライヤーのスイッチを入れる。
又、服乾燥機として使用するときは、ハンガーにドライヤーを固定し、布材（１）を取り付ける。ハンガーに洋服もしくはズボンを取り付け、ドライヤーのスイッチを入れる。ドライヤーのコンセントにタイマー機能のついたコネクターを介し、自動的に任意の時間でドライヤーの電源が切れるようにする。
【図面の簡単な説明】
【０００７】
【図１】本発明の斜視図
【図２】インソールの取り付け状態を示した図
【符号の説明】
【０００８】１  布材
２  閉じ具
３  ドライヤー
４  インソール
【図１】
2009247857.tif 000003
【図２】
2009247857.tif 000004
(57)【要約】【課題】本発明は、徘徊の防止と患者の寝返りと起き上がりが出来る事と手を自由に動かせる事と苦痛と床ずれの減少される介護用寝返りと起き上がりが出来る枷を提供せんとするものである。【解決手段】ベッドの左右に滑車を取り付けて、バンドの片方とベルトの片方を固定しベルトを滑車に架けてベッドの下を通り抜けて一周させてベルト同士とバンド同士を連結して施錠する、ベルトにロープの片方固定しロープの一方は滑車の下部にＵ字型金具を取り付けて金具に固定する。【選択図】図１
2009247855.tif 000002
【特許請求の範囲】
【請求項１】
ベッド（１）の左右に滑車（２）を取り付け、該滑車（２）にベルト（６）をかけ該ベッド（１）の下を右側から左側に通り抜けて該ベッド（１）を一周してベルト同士を連結して回転自在にする、該滑車（２）の上部にＵ字型金具（３）を取り付けて該ベルト（６）の外れ止め、該滑車（２）の下部にＵ字型金具（４）を取り付けてロープ（５）の片方を固定し一方は該ベッド（１）の下のベルトに固定しベルトの回転を適度な位置で停止させる、バンド（７）と該ベルト（６）の巾を広くする、該バンド（７）と該ベルト（６）の片方を合体させリング（８）を取り付ける、一方の該バンド（７）と該ベルト（６）の各自に鎖（９）と錠（１０）を取り付け、該バンド（７）を胴体（１１）に巻いて該鎖（９）を該リング（８）に掛けて連結をして施錠をする、該ベルト（６）の該鎖（９）を該リング（８）に掛けて連結をして施錠をする、胴体に枷を取り付けて寝返りと起き上がりが出来る事を特徴とする介護用寝返りと起き上がりが出来る枷。
【発明の詳細な説明】
【技術分野】
【０００１】本発明は、乱暴な精神障害者と徘徊者等に利用する。
【背景技術】
【０００２】従来の枷は、寝返りが出来ないので血行の流れが悪化して全身に支障をきたし、特に床ずれと手に傷が出来やすい、寝返りが出来ないと苦痛とストレスが溜まりやすい。【０００３】本発明は、寝返りと起き上がりが出来る事と手を自由に動かせる。
【発明の開示】
【発明が解決しようとする課題】
【０００４】本発明は、上記の問題点に鑑み患者と介護する人の負担を減少させる介護用寝返りと起き上がりが出来る枷を提供せんとするものである。
【課題を解決するための手段】
【０００５】ベッド（１）の左右に滑車（２）を取り付け、該滑車（２）にベルト（６）をかけ該ベッド（１）の下を右側から左側に通り抜けて該ベッド（１）を一周してベルト同士を連結して回転自在にする、該滑車（２）の上部にＵ字型金具（３）を取り付けて該ベルト（６）の外れ止め、該滑車（２）の下部にＵ字型金具（４）を取り付けてロープ（５）の片方を固定し一方は該ベッド（１）の下のベルトに固定しベルトの回転を適度な位置で停止させる、バンド（７）と該ベルト（６）の巾を広くする、該バンド（７）と該ベルト（６）の片方を合体させリング（８）を取り付ける、一方の該バンド（７）と該ベルト（６）の各自に鎖（９）と錠（１０）を取り付け、該バンド（７）を胴体（１１）に巻いて該鎖（９）を該リング（８）に掛けて連結をして施錠をする、該ベルト（６）の該鎖（９）を該リング（８）に掛けて連結をして施錠をする。
【発明の効果】
【０００６】本発明は、寝返りと起き上がりが出来る事と手を自由に動かせる、床ずれの減少と手に傷が出来ない。
【発明を実施するための最良の形態】
【０００７】寝返りと起き上がりが出来る事と手を自由に動かせるので患者、病院、老人ホーム、患者の家族等に歓迎される、高齢者社会なので今後ますます需要が拡大する。
【実施例１】
【０００８】ベルト（６）一方を右側の滑車（２）に架けベッド（１）の下を通り抜けて左側の滑車（２）に架けベッド（１）の上に置く以上のセットは初回の一度だけで良い、バンド（７）を広げて患者を仰向けに寝かせバンド（７）を胴体に巻きつけて鎖（９）をリング（８）に架けて施錠をする、ベルト（６）の鎖（９）をリング（８）に架けて施錠をする、ベルトの連結の位置は腹の中心部にセットをする、患者を左右に動かして横向の状態の位置で左右のロープ（５）を各自の金具（４）に結んでうつ伏せにならない様にする、乱暴な患者の場合はベルトを強く締めて、更に、ロープの緩みを無くして金具に固定してベルトの回転を阻止して寝返り不能も出来る、普通の患者の場合はベルトを弱く締めて起き上がりを可能にする、寝返りの場合はベルトを少し緩めに締める、セットの解除は、施錠を解除してベルトとバンドの鎖をリングから外してベルトとバンドを広げる。
【産業上の利用可能性】
【０００９】高齢者社会なので今後ますます需要が拡大するので各産業界から必然的に求められる。
【図面の簡単な説明】
【００１０】
【図１】本発明の一部を省いて、患者が仰向けでセットされた状態を示した断面図である。
【符号の説明】
【００１１】１・・ベッド
２・・滑車
３・・Ｕ字型金具
４・・Ｕ字型金具
５・・ロープ
６・・ベルト
７・・バンド
８・・リング
９・・鎖
１０・錠
１１・胴体
【図１】
2009247855.tif 000003
(57)【要約】【課題】  傘カバーの紛失を防ぎ、傘本体への掛け外しと携帯が容易となる傘カバーを提供する。【解決手段】  傘カバーの布を、柄側と石突側の両方向から傘本体に被せるため、上下に開口を設けた筒状の形状とし、柄側の傘カバー端部に、柄に設けられる房との連結用の取付けバンドを設け、石突側のカバー端部に紐通し部を設け、締付け用の紐を設け、紐先端に接着テープを設けたことを特徴とする傘カバー。【選択図】図１
2009247859.tif 000002
【特許請求の範囲】
【請求項１】
傘カバーの布を、柄側と石突側の両方向から傘本体に被せるため、上下に開口を設けた筒状の形状としたことを特徴とする傘カバー。
【請求項２】
柄側の傘カバー端部に、柄に設けられる房との連結用の取付けバンドを設け、石突側のカバー端部に紐通し部を設け、締付け用の紐を設け、紐先端に接着テープを設けたことを特徴の請求項１の傘カバー。
【発明の詳細な説明】
【技術分野】
【０００１】  本発明は、傘カバーの紛失を防ぎ、傘本体への掛け外しと携帯が容易となる傘カバーに関するものである。
【背景技術】
【０００２】  従来の傘カバーは、形態としてはカバーの片側のみが開放状態にあり、傘本体の石突側からか掛け外しを行い、傘を使用する際には傘カバーを傘本体から外し、柄に設けられた房に結び付けたり、鞄等に入れたりして保持している。
【発明の開示】
【発明が解決しようとする課題】
【０００３】  そのために、次のような問題点があった。
（イ）結び付けた房からの脱落による傘カバーの紛失
（ロ）保管収納場所不明による傘カバーの紛失
（ハ）傘カバーの掛け外しと、外した後の保管の不便性
本発明は、これらの問題点を解決するためになされたものである。
【課題を解決するための手段】
【０００４】  傘カバーの両側に開口を設けた筒状の形状としたことを特徴とする傘カバーであり。傘本体に被せる手段として、石突側と柄側の両方向から被せることができる。【０００５】  また、傘カバーには柄側の端部に房との連結用の取付けバンドを設け、石突側の端部には紐通し部を設け、締付け用の紐を通し紐先端部に接着テープを設ける。
以上を特徴とする傘カバーである。
【発明の効果】
【０００６】  本発明は、傘カバーを従来のように石突側より装着するだけではなく、柄側からも装着できる両側に開口を設けた筒状の形状で、柄に設けられた房にバンドにより取付けられている、そのため傘本体より外した際に結び付けた房からの脱落や保管収納場所不明による紛失が無く、さらに未使用時に傘本体に装着する場合に鞄等より取り出す必要が無い。
また、常に傘本体より傘カバーを外しておきたい場合は、房より取付けバンドを外し鞄等に収納することができる。
【発明を実施するための最良の形態】
【０００７】  以下、本発明の実施の形態を説明する．
（イ）  両端が開放された筒状の傘カバー（１）の片側に、柄（５）に設けられた房（３）と接続するための取付けバンド（４）を２箇所に設ける。この取付けバンド（４）は片面を取外し可能とする。
（ロ）  上記と反対の傘カバー（１）の端部に紐通し部（１０）を設け、締め付け用の紐（２）を通し、その端部に接着テープ  オス（８）を設け、接合用の接着テープ  メス（９）を傘カバーの側面に設ける。
本発明は以上のような構造でこれを使用するときは、図２に示すように傘本体に傘カバーを装着した状態で、傘の柄（５）に設けられた房（３）に取付けバンド（４）により接続する。傘未使用時は装着した状態で、石突（１１）側に設けられた締め付け用の紐（２）によりの傘カバー（１）の開口部を閉じ、締め付け用の紐（２）をその端部に設けられた接着テープ  オス（８）により傘カバー（１）に設けられた受側の接着テープメス（９）に固定する。【０００８】  傘使用時は石突（１１）側の開口部を、締め付け用の紐（２）を緩めることで開き、図１に示すように柄（５）に設けられた房（３）に手繰り寄せ、締め付け用の紐（２）により傘カバー（１）を括る。【０００９】  使用時に傘カバー（１）を従来と同様に傘本体と別に保管する場合は、柄（５）の房（３）より取付けバンド（４）を外し鞄等に収納する。
【実施例１】
【００１０】  図１０に示すように、房（３）が柄（５）の片面に設けられる場合にあっても取付けバンド（４）の一方のみで房との接続ができる。
【実施例２】
【００１１】  図１１に示すように、締め付け用の紐（２）の端部に設けられた接着テープ  オス（８）と傘カバーに設けられる接着テープ  メス（９）は、締め付け用の紐（２）の引き側の端部を輪（１２）にし、接着テープ  メス（９）を留具（１３）にすることで固定ができる。
【図面の簡単な説明】
【００１２】
【図１】本発明の傘カバーを、房が柄の両側に取付けられている場合にまとめた状態の斜視図
【図２】本発明の傘カバーを傘本体に装着した状態の斜視図
【図３】本発明の傘カバー上部よりの平面図
【図４】本発明傘カバー側面図
【図５】図３のＡ−Ａ‘断面詳細図
【図６】本発明の傘カバーを傘本体に装着した状態の側面図
【図７】図６の下部よりの平面図
【図８】房に傘カバーをまとめた状態の上部よりの平面図
【図９】図８の側面図
【図１０】本発明の実施例を示す斜視図
【図１１】本発明の実施例を示す平面図
【符号の説明】
【００１３】  １  傘カバー
２  紐
３  房
４  取付けバンド
５  柄
６  傘布
７  傘布バンド
８  接着テープ  オス
９  接着テープ  メス
１０  紐通し部
１１  石突
１２  輪
１３  留具
【図１】
2009247859.tif 000003
【図２】
2009247859.tif 000004
【図３】
2009247859.tif 000005
【図４】
2009247859.tif 000006
【図５】
2009247859.tif 000007
【図６】
2009247859.tif 000008
【図７】
2009247859.tif 000009
【図８】
2009247859.tif 000010
【図９】
2009247859.tif 000011
【図１０】
2009247859.tif 000012
【図１１】
2009247859.tif 000013
(57)【要約】【課題】背骨の動作範囲異常をチェック、調整することにより、肩こり、腰痛及び膝痛の軽減を可能とする健康座椅子。【解決手段】座椅子の座面前部に背骨の動作範囲異常をチェックする目盛を有しチェック結果に基づいて背骨の動作範囲を調整するハンドルを座面後部中央に具備する。【選択図】図２
2009247860.tif 000002
【特許請求の範囲】
【請求項１】
座椅子の座面前部に背骨の左右動作範囲異常及び左右回転動作範囲異常が確認できるチェック用目盛を有し、座面後部中央に背骨の左右、回転及び前後の動作範囲を調整するためのハンドルを具備することを特徴とする。
【発明の詳細な説明】
【技術分野】
【０００１】  本発明は、肩こり、腰痛及び膝痛などの原因の１つとなる背骨の動作範囲異常をチェックし、調整により正常化できる健康座椅子に関する。
【背景技術】
【０００２】  従来の健康を目的とする座椅子には背骨の動作範囲異常をチェックし調整できる機能は殆ど無かった。
【発明の開示】
【発明が解決しようとする課題】
【０００３】  従来の健康を目的とする座椅子には座る姿勢を改善する機能が多く背骨の動作範囲異常をチェックし、調整する機能は殆ど無く、より積極的な健康改善は望めなかった。【０００４】  本発明は使用者自身が背骨の動作範囲異常をチェックし、その結果に基づいて自己調整ができ最終的に背骨の動作範囲がより正常化されたことを確認できることを目的とする。
【課題を解決するための手段】
【０００５】  本発明は、上記目的を達成するために座椅子の座面前部に背骨の動作範囲異常をチェックできる目盛を有し、その結果に基づいて調整が可能となるハンドルの機能を座面後部中央部に具備することで自分自身で簡単に背骨の動作範囲を調整ができ最終的に背骨の動作範囲がより正常化されたことを確認できるものである。
【発明の効果】
【０００６】  上述したように本発明は、使用者自身が背骨の動作範囲異常をチェックし、調整により背骨の動作範囲をより正常化することで肩こり、腰痛及び膝痛などを軽減する効果を発揮し、より健康な身体になることを目指すものである。
【発明を実施するための最良の形態】
【０００７】  以下、本発明の実施の形態を図１〜図３に基づいて説明する。
【実施例１】
【０００８】  図１は、背骨の動作範囲異常をチェックする場合で、使用者は両手を後頭部に組み左右、回転及び前後の動作をし、座面の目盛により、それぞれの動作範囲異常を把握する。
【実施例２】
【０００９】  図２は、背骨の動作範囲異常のチェック結果に基づいて調整用のハンドルを使い動作範囲を調整し、より正常化する。
具体的には動作範囲の大きかった方へ調整用ハンドルを使用して動かしハンドルが動かなくなったところで３秒間押し続けた後、瞬間的に力を抜く動作によって動作範囲異常を調整し、より正常化が可能となる。確認のため図１の動作範囲異常のチェックを再度して確かめ、背骨の動作範囲異常がより正常化されていれば、背骨の異常からくる肩こり、腰痛及び膝痛が軽減され、より健康な身体になるものである。
【図面の簡単な説明】
【００１０】
【図１】  背骨の動作範囲異常を左右、回転及び前後を目盛により把握する。
【図２】  背骨の動作範囲異常のチェック結果に基づいて調整用ハンドルを使い動作範囲を調整し、より正常化されたことを確認をする。
【図３】  背骨調整健康座椅子の全体図である。
【図１】
2009247860.tif 000003
【図２】
2009247860.tif 000004
【図３】
2009247860.tif 000005
(57)【要約】【課題】従来のスポンジ付きモップは、スポンジモップパッドを取り付け取り外しする着脱板をモップ柄の下端に力を加えてスポンジモップパッドを斜め方向から押し付けて清掃すると、モップ柄下端の着脱板との連結点とスポンジモップパッドの重心とのずれに因り、スポンジモップパッド付き着脱板が前転する不具合があった。【解決手段】スポンジモップパッドを取り付け取り外しする着脱板を該着脱板の重心よりずらした位置で上記着脱板をモップ柄の下端に連結したことにより、モップ柄の下端に力を加えてスポンジモップパッドを斜め方向から押し付けて清掃しても、スポンジモップパッド付き着脱板が前転する不具合を解消できるスポンジ付きモップを提供可能とした。【選択図】  図１
2009247438.tif 000002
【特許請求の範囲】
【請求項１】
スポンジモップパッドを取り付け取り外しする着脱板を該着脱板の重心よりずらした位置で上記着脱板をモップ柄の下端に連結したことを特徴とするスポンジ付きモップ。
【請求項２】
上記着脱板をモップ柄の下端に自在継ぎ手を介して連結したことを特徴とする請求項１に記載のスポンジ付きモップ。
【請求項３】
スポンジモップパッドをマジックテープ（商標名）を介して上記着脱板に取り付けたことを特徴とする請求項１と請求項２に記載のスポンジ付きモップ。
【発明の詳細な説明】
【技術分野】
【０００１】
本発明は、スポンジモップパッド付き着脱板が前転することがない機能性に優れたスポンジ付きモップに関する。
【背景技術】
【０００２】
従来のスポンジ付きモップは、図5に図示する様に、スポンジモップパッド2を取り付け取り外しする着脱板を着脱板3の重心線示す中心線３bの上位置で着脱板3をモップ柄の下端４aに連結していたので、モップ柄４の下端４aに力を加えてスポンジモップパッド２を斜め方向から押し付けて清掃すると、モップ柄の下端４aの着脱板３との連結点とスポンジモップパッド２の重心とのずれに因り、スポンジモップパッド付き着脱板３が前転する不具合があった。
【特許文献１】特開２００２−１８６５７４号公報
【発明の開示】
【発明が解決しようとする課題】
【０００３】
そこで、本発明者は従来のスポンジ付きモップの欠点や問題点を解決すべく鋭意研究した結果、モップ柄の下端に力を加えてスポンジモップパッドを斜め方向から押し付けて清掃しても、スポンジモップパッド付き着脱板が前転する不具合を解消できるスポンジ付きモップを提供するものである。
【課題を解決するための手段】
【０００４】
本発明は上記目的を達成するための、スポンジモップパッドを取り付け取り外しする着脱板を該着脱板の重心よりずらした位置で上記着脱板をモップ柄の下端に連結したことを特徴とし、モップ柄の下端に力を加えてスポンジモップパッドを斜め方向から押し付けて清掃しても、スポンジモップパッド付き着脱板が前転する不具合を解消できるスポンジ付きモップを提供可能とした。更に、着脱板をモップ柄の下端に自在継ぎ手を介して連結したことにより、モップ柄を自在に傾けて、スポンジモップパッドを押付ける清掃部の状況に追従可能とした。加えて、スポンジモップパッドをマジックテープ（商標名）を介して上記着脱板に取り付けたことにより、スポンジモップパッドを簡単に着脱（取替え）出来るようにした。
【発明の効果】
【０００５】
上記した本発明によれば、スポンジ付きモップのスポンジモップパッドを取り付け取り外しする着脱板を着脱板の重心よりずらした位置で、着脱板をモップ柄の下端に連結したことにより、モップ柄の下端に力を加えてスポンジモップパッドを斜め方向から押し付けて清掃しても、スポンジモップパッド付き着脱板が前転する不具合を解消できた。更に、着脱板をモップ柄の下端に自在継ぎ手を介して連結したことにより、モップ柄を自在に傾けて、スポンジモップパッドを押付ける清掃部の状況に追従可能とした。加えて、スポンジモップパッドをマジックテープ（商標名）を介して上記着脱板に取り付けたことにより、スポンジモップパッドを簡単に着脱（取替え）出来るようにした。
【発明を実施するための最良の形態】
【０００６】
次に、本発明の実施例について図面を参照して説明する。
【実施例】
【０００７】
本発明に係る一実施例を図１から図３に示しており、以下説明する。１はスポンジ付きモップを示し、モップ柄４の下端４aは、スポンジモップパッド着脱板の重心位置を示す中心線３bからずれた位置を示す中心線３aに、自在継ぎ手５を介して、スポンジモップパッド２が装着された着脱板３に取付けた。更に、モップ柄４の下端４ａを着脱板３に自在継ぎ手５を介して、取り付ける際には、可能な限り着脱板３の低位置に取付けることにより、狭い部分、例えば書棚の隅やベッド下等の清掃作業が容易になった。
加えて、重心が低くなりスポンジパッド付き着脱板の前転を防止できた。
【０００８】
また、図4に示す様に、スポンジモップパッドをマジックテープ（商標名）を介して上記着脱板３に取り付けたことにより、スポンジモップパッド２を簡単に着脱（取替え）出来るようにした。図４中の符号３cと３eは、マジックテープの噛み合い機構を示し、３cは着脱板３との着脱面の凹面を、３eは、着脱板３との着脱面の凸面を示す。
【０００９】
図１に図示するようにスポンジ付きモップ１のスポンジモップパッド２を取り付け取り外しする着脱板３を、着脱板３の重心よりずらした位置で、着脱板３をモップ柄４の下端４ａに連結した構成により、スポンジモップパッド２と着脱板３の着脱面の凹面３ｃと凸面３eに作用するスポンジモップパッド２の清掃面３ｄとの摩擦力による転倒モーメントよりも、着脱板３とモップ柄４との連結部５に作用するモップ押付け力による復元モーメントが大きいために、スポンジモップパッド２が着脱板３の着脱面３ｃに押付けられて、スポンジモップパッド２付き着脱板３の前転が防止できた。
【産業上の利用可能性】
【００１０】
床用清に限らず、壁面、天井面、窓ガラス清掃用具にも適用できる。
【図面の簡単な説明】
【００１１】
【図１】本発明に係る１実施例を示す斜視図である。
【図２】本発明に係る１実施例を示す図１のＡ−Ａ線矢視の要部断面図である。
【図３】着脱板にモップ柄を自在継ぎ手を介して取り付けた図である。
【図４】スポンジモプパッドと着脱板の着脱機構を示す説明図である。
【図５】従来例を示す図１のＡ−Ａ線矢視の断面図である。
【符号の説明】
【００１２】
１      スポンジ付きモップ
２      スポンジモップパッド
３      スポンジモップパッドの着脱板
３ａ    スポンジモップパッド着脱板の重心からずれた位置を示す中心線
３ｂ    スポンジモップパッド着脱板の重心位置を示す中心線
３ｃ    スポンジモップパッドと着脱板との着脱面の凹面
３ｄ    スポンジモップパッドの清掃面
３ｅ    スポンジモップパッドと着脱板との着脱面の凸面
４      モップ柄
４ａ    モップ柄の下端
５      モップ柄と着脱板の連結部
【図１】
2009247438.tif 000003
【図２】
2009247438.tif 000004
【図３】
2009247438.tif 000005
【図４】
2009247438.tif 000006
【図５】
2009247438.tif 000007
(57)【要約】【課題】随時、場所を選ばず容易に歯磨きをすることを目的とし、常に歯磨きに必要な歯ブラシと歯磨き粉及び口腔内をすすぐための液体といった清浄用具を個別に携行または購入しなくても、既存の清涼飲料水等を販売している店舗や清涼飲料水用自動販売機を利用して、歯ブラシ及び歯磨き粉及び口腔内をすすぐための液体を一体化して販売または購入できる清浄用具を提供する。【解決手段】従来の清涼飲料水を販売している店舗の冷蔵庫や清涼飲料水用自動販売機を特に改造せずに利用するために、従来の清涼飲料水の容器形状と同じ大きさの容器１に口腔内をすすぐための液体５を入れ、その容器１の口部より筒状のプラスチック製収納具２に歯ブラシ３と歯磨き粉４を収納して挿入し、容器の蓋６を閉めることで容器１と前記清浄用具を一体化する。【選択図】図１
2009247663.tif 000002
【特許請求の範囲】
【請求項１】
従来の清涼飲料水を販売している店舗の冷蔵庫や清涼飲料水用自動販売機を特に改造せずに利用可能な、従来のペットボトル等液体容器形状と同じ大きさの容器に口腔内をすすぐための液体を入れ、筒状のプラスチック製収納具に歯磨きに必要な用具である歯ブラシと歯磨き粉を収納して容器の口部より挿入し、容器の蓋を閉めることで容器と歯磨き用具を一体化させたことを特徴とする歯磨き用具一体型容器。
【発明の詳細な説明】
【技術分野】
【０００１】
本発明は、容易に購入または販売することができ、かつ容易に携行してあらゆる場所で歯磨きが可能な、歯磨き用具と一体化させた容器に関するものである。
【背景技術】
【０００２】
外出先で歯磨きをする場合、歯磨きに必要となる歯ブラシ及び歯磨き粉、またコップ等の容器に加えて、口腔内をすすぐための液体を携行または、それぞれを購入するなどの他、飲用水のある場所で行う必要があった。
【０００３】
しかし、前記の歯磨きに必要な用具を携行していなかった場合、それらを購入できる場所が店舗に限られていたため、外出先では歯磨きができず不便であった。
【発明の開示】
【発明が解決しようとする課題】
【０００４】
解決しようとする問題点は、外出時に歯磨きをする場合はそれに必要な用具を購入または携行していなければならず、また用具を購入または携行するとしても、それらを個別に用意しなければならない上に、購入が可能な場所も店舗に限られて不便だという点である。
【課題を解決するための手段】
【０００５】
本発明は、歯磨きの際に必要となる歯ブラシ及び歯磨き粉、またコップ等の容器に加えて口腔内をすすぐための液体などの歯磨き用具と容器を一体化させ、従来の自動販売機による販売が可能な形状にしたことを最も主要な特徴とする。
【発明の効果】
【０００６】
本発明にかかる歯磨き用具一体型容器は、既存の自動販売機及び飲料水を販売している店舗の冷蔵庫などを改造することなく販売でき、またそれらを利用して購入することを実現するために、従来のペットボトル等液体容器と同じ大きさの容器の内部に、歯磨きに必要である歯ブラシ及び歯磨き粉や口腔内をすすぐための液体を納めて一体化することができる。
【０００７】
したがって、歯磨きに必要な用具を容易に一度で用意することができ、随時場所を選ばずあらゆる場所での歯磨きが可能となる。
【発明を実施するための最良の形態】
【０００８】
以下に添付図面を参照して、本発明の好適な実施の形態を詳細に説明する。なお、この実施の形態によりこの発明が限定されるものではない。
【実施例】
【０００９】
図１は、本発明にかかる歯磨き用具一体型容器の全体側断面図である。図２は、図１で示す容器１の蓋６が完全に閉めた状態から、蓋６を回して開けて容器１から離した状態を示す側断面図である。図３は歯ブラシ３と歯磨き粉４を収納するためのプラスチック製収納具２の側断面図である。１〜６は、図１及び図２及び図３と共通である。７はプラスチック製収納具の口部であり、８は容器の口部である。
【００１０】
図１及び図２において、容器１は炭酸飲料、或いは、ミネラルウォーターやお茶、ジュースなどの無炭酸飲料が収容された、従来の自動販売機による販売が可能なペットボトル及びアルミ容器等であり、この実施例では容器としてこの容器１を用いて本発明を説明する。
【００１１】
図１の容器１の中に、歯磨きの際の口腔内をすすぐための液体５を入れるが、液体５の量は容器１全体に対しての半量程度とし、図１で示すプラスチック製収納具２の先端が液体５に浸かる量とする。
【００１２】
上述した液体５の量にすることで、歯磨きにおいて十分に必要な量を収容しながら、図２で示す状態の通り、蓋６を回して開けた際には液体５によりプラスチック製収納具２に浮力が発生しているため、プラスチック製収納具２が液体５に浮き、容器１の口部８からプラスチック製収納具２が突き出る状態となり、容易に取り出すことが可能となる。<BR>
【００１３】
図３で示すプラスチック製収納具２の口部７の縁に、容器１の口部８の内径の大きさから１ｍｍ程度大きい突起を形成させることにより、図１で示す容器１の蓋６を完全に閉めた状態においてもプラスチック製収納具２が容器１の内部に落ち込まなく、プラスチック製収納具２を取り出し不能となることを防ぐことができる。
【図面の簡単な説明】
【００１４】
【図１】本発明にかかる歯磨き用具一体型容器の側断面図である。
【図２】本発明にかかる歯磨き用具一体型容器の蓋を開けた状態を示す側断面図である。
【図３】歯ブラシや歯磨き粉を収納するプラスチック製収納具の側断面図である。
【符号の説明】
【００１５】
１    容器
２    プラスチック製収納具
３    歯ブラシ
４    歯磨き粉
５    液体
６    蓋<BR>
７    収納具の口部
８    容器の口部
【図１】
2009247663.tif 000003
【図２】
2009247663.tif 000004
【図３】
2009247663.tif 000005